(57)【要約】【課題】  商品収納ラック上の商品を見栄えよく展示することで、実際に販売する商品をアピールする趣向が十分に発揮できるシースルー形式の自動販売機を提供する。【解決手段】  本体１内に前方を開口して設けた商品収納庫３と、商品収納庫３内に設けられ、商品を前方から視認可能に収納し、その前端から商品を払い出す商品収納ラック６と、商品収納ラック６の前方に設けられ商品収納ラック６から払い出された商品を商品取出口に搬送する商品搬送装置８と、本体１の前面を覆う外扉２を備えた自動販売機において、外扉２は、商品収納ラック６内の商品が外部から見えるように所定の領域を透明板から構成した商品展示部２１と、商品選択ボタン２６や金銭投入口２８、２９等が一括して配置される接客部２３とを有し、商品展示部２１を商品収納ラック６に近づくように接客部２３より後方に窪ませて形成する。【選択図】      図２
2005196565.tif 000002
【特許請求の範囲】
【請求項１】
本体内に前方を開口して設けた商品収納庫と、前記商品収納庫内に設けられ、商品を前方から視認可能に収納し、その前端から商品を払い出す商品収納ラックと、前記商品収納ラックの前方に設けられ前記商品収納ラックから払い出された商品を商品取出口に搬送する商品搬送装置と、前記本体の前面を覆う外扉を備えた自動販売機において、前記外扉は、前記商品収納ラック内の商品が外部から見えるように所定の領域を透明板から構成した商品展示部と、商品選択ボタンや金銭投入口等が一括して配置される接客部とを有し、前記商品展示部を前記商品収納ラックに近づくように前記接客部より後方に窪ませて形成したことを特徴とする自動販売機。
【請求項２】
前記商品展示部は前記透明板を備えた展示窓を有し、前記接客部は前記商品選択ボタンや金銭投入口等を配置する接客パネルを有し、前記展示窓の枠形状と前記接客パネルの外観は共に略Ｄ字形状に形成され、その略Ｄ字形状が同方向に向けてかつ位置をずらして重なるように前記展示窓と前記接客パネルが配置されたことを特徴とする請求項１に記載の自動販売機。
【発明の詳細な説明】
【技術分野】
【０００１】
本発明は、本体内に、商品を収納する商品収納ラックと、この商品収納ラックから搬出された商品を商品取出部に搬送する商品搬送装置とを備え、この本体の前面を覆う外扉に商品収納ラックに収納された商品が見えるように透明パネルを配設した商品展示部を形成した自動販売機に関する。
【背景技術】
【０００２】
従来のこのような自動販売機としては、特開２０００−３３１２３２号公報に記載されたものが知られている。この自動販売機の本体内には、断熱性を有する商品収納庫が設けられ、この商品収納庫内には複数の商品収納ラックが上下左右に複数個配設されている。また、この商品収納ラックは、複数の商品を前後方向に並べて収納するとともに、収納した商品を前方に送出してその前端から１つずつ払い出すための商品払出装置を備えている。また、この商品収納ラックの前方には、払い出された商品を、本体の前面を覆う外扉に設けられた商品取出部に搬送する商品搬出装置が設けられている。ここで、商品搬出装置は、商品収納ラックから払い出された商品を受け取るバケットと、そのバケットを商品収納ラックの前方で上下左右に移動するバケット移動手段を備えている。
ここで、この自動販売機の外扉は、本体内に配設された商品収納ラックに合わせて商品ディスプレイ部を大きく形成して備え、商品ディスプレイ部の透明板越しに、商品収納ラックに収納された商品が見えるようになっている。また、顧客が商品を選択する商品選択ボタンや硬貨を投入する硬貨投入口などの接客部は、この商品ディスプレイ部の側方に一括して寄せて配置されている。
【０００３】
このような自動販売機において、顧客が商品を購入する場合は、商品収納ラックに収納された商品を商品ディスプレイ部の透明板越しに見て選択し、その商品の購入に必要な硬貨を硬貨投入口に投入し、その商品に対応する商品選択ボタンを押下してその商品を購入する。
【特許文献１】特開２０００−３３１２３２号公報
【発明の開示】
【発明が解決しようとする課題】
【０００４】
ところで、このような自動販売機の外扉は、投入口から投入された硬貨や紙幣を識別し保管する金銭処理装置、各商品収納ラックに対応する商品番号や投入金額等を表示する表示装置、およびこれらを制御する制御箱等が内部に配設されるため、奥行きが厚く形成されている。ここで、商品ディスプレイ部の透明板はこの厚い外扉の前表面に設けられ、また外扉の後方には商品収納ラックとの間に商品搬出装置が設けられているため、外扉前面の透明板と商品収納ラックの間隔はかなり広く形成されている。このため、顧客が商品を購入する場合に、外扉前方から商品ディスプレイ部の透明板越しに商品収納ラック内の商品を見ると、かなり奥まった位置に商品が見えて、商品が見え難いものとなっていた。すなわち、販売する商品を顧客に実際に見せることで興趣を増すことが目的であるこの種のシースルー形式の自動販売機の特徴が、十分に発揮されていなかった。
【０００５】
本発明は、このような上記の課題を解決するためになされたもので、外扉のディスプレイ部分の奥行きを極力薄く構成し、外扉前面の透明板と商品収納ラックの間の距離を従来に比べて縮小し、商品収納ラック上の商品の見栄えを向上させることで、実際に販売する商品をアピールする趣向が十分に発揮できるシースルー形式の自動販売機を提供することを目的とするものである。
【課題を解決するための手段】
【０００６】
上記課題を解決するため、請求項１にかかる発明は、本体内に前方を開口して設けた商品収納庫と、前記商品収納庫内に設けられ、商品を前方から視認可能に収納し、その前端から商品を払い出す商品収納ラックと、前記商品収納ラックの前方に設けられ前記商品収納ラックから払い出された商品を商品取出口に搬送する商品搬送装置と、前記本体の前面を覆う外扉を備えた自動販売機において、前記外扉は、前記商品収納ラック内の商品が外部から見えるように所定の領域を透明板から構成した商品展示部と、商品選択ボタンや金銭投入口等が一括して配置される接客部とを有し、前記商品展示部を前記商品収納ラックに近づくように前記接客部より後方に窪ませて形成したものである。これによれば、外扉の透明板と商品収納ラックの間の距離を従来に比べて縮小し、商品収納ラックに収納される商品の見栄えを向上させることができる。
【０００７】
請求項２にかかる発明は、請求項１に記載の発明において、前記商品展示部は前記透明板を備えた展示窓を有し、前記接客部は前記商品選択ボタンや金銭投入口等を配置する接客パネルを有し、前記展示窓の枠形状と前記接客パネルの外観は共に略Ｄ字形状に形成され、その略Ｄ字形状が同方向に向けてかつ位置をずらして重なるように前期展示窓と前記接客パネルが配置されたものである。これによれば、顧客に対して外扉の実際の形状や大きさを上回って、その立体感と大きさを感じさせることができる。
【発明の効果】
【０００８】
以上説明したように請求項１に係る発明によれば、外扉の透明板と商品収納ラックの間の距離を従来に比べて縮小し、商品収納ラックに収納される商品の見栄えを向上させることができるから、実際に販売する商品を顧客に見せることで興趣を増すシースルー形式の自動販売機の特徴を十分に発揮することができる。
また、請求項２に係る発明によれば、顧客に対して、外扉の実際の形状や大きさを上回って、その立体感と大きさを感じさせることができるから、実際に販売される商品の見栄えをさらに向上させて展示することができる。
【発明を実施するための最良の形態】
【０００９】
本発明の実施形態について図を参照して説明する。
図１は、本発明の実施形態に関る自動販売機を示す正面図、図２は本発明の実施形態に関る自動販売機を示す側面断面図、図３は本発明の実施形態に関る自動販売機を示す平面部分断面図、図４は本発明の実施形態に関る自動販売機を示す斜視図である。
図に示すように、この自動販売機は箱状の本体１と、その前面を開閉する主扉（外扉）２を備えている。本体１内には前面を開口した商品収納庫３が断熱材で囲繞されて形成され、商品収納庫３の前面にはその開口を閉塞する透明な断熱扉４が設けられている。また、主扉２には、商品収納庫３の前面開口に対応して透明パネル（透明板）５が配設され、この自動販売機は正面から商品収納庫３内の商品が見えるようにデザインされている。
商品収納庫３には、商品収納ラック６が、上下方向に複数段に配列されている。また、商品収納ラック６の前方には、この商品収納ラック６から払い出された商品を、主扉２に設けた商品取出部７に搬出する商品搬出装置８が配設されている。また、商品収納庫３は、断熱性を有する仕切板１２によって上下の商品収納室３ａ、３ｂに仕切られ、商品搬出装置８はこの上下の商品収納室３ａ、３ｂにまたがって配設されて上下いずれの商品収納室３ａ、３ｂの商品収納ラック６から払い出された商品も商品搬出部７に搬出することができるように構成されている。
【００１０】
この商品搬出装置８は、商品収納ラック６から払い出された商品を受け取り、それを商品取出部７に搬出するバケット９と、バケット９を支持してこれを上下左右方向に移動する搬送機構１０等から構成され、図示しない制御手段により制御されている。
また、商品収納庫３を上下の商品収納室３ａ、３ｂに仕切る仕切板１２は、商品搬出装置８の後方に配置された固定仕切板部１３と、この固定仕切板部１３に連なり、商品搬送装置８のバケット移動通路１５を上下に仕切る可動仕切板部１４を備え、可動仕切板部１４は、バケット９が上下の商品収納室３ａ、３ｂにまたがって移動するとき、図示しない駆動手段によりバケット移動通路１５から退避して、バケット９の移動に支障がないように制御される。
このように構成される自動販売機において、本体１の前面を開閉する主扉２には、商品収納庫３内の商品を前方から視認可能に形成された商品展示部２１と、商品を選択して購入するための商品番号ボタン２６（商品選択ボタン）等が配設された接客部２３が設けられている。
【００１１】
接客部２３の前面には、接客パネル２４が設けられ、さらに接客パネル２４には、投入金額や庫内温度等を表示する表示器２５、各商品収納ラック６に対応する商品番号を入力する商品番号ボタン２６、商品番号ボタン２６により入力される商品番号を確定、取消、訂正する操作決定ボタン２７、紙幣を投入する紙幣投入口（金銭投入口）２８、硬貨を投入する硬貨投入口（金銭投入口）２９、投入貨幣を返却する返却レバー３０、釣銭硬貨を返却する硬貨返却口３１、商品取出部７に搬出された商品を取り出すための商品取出口３２が配設されている。また、接客パネル２４の背部には、紙幣投入口２８の後方下部に、投入された紙幣を識別し保管する紙幣処理装置３５が、硬貨投入口２９の後方下部に、投入硬貨を識別し貯留する硬貨処理装置３６が、表示器２５、商品番号ボタン２６、操作決定ボタン２６の後方に、これらを制御する制御箱３７が、それぞれ配設されている。
【００１２】
商品展示部２１には、商品収納庫３内の商品収納ラック６に収納された商品が、前方から見えるように展示窓２２が広く形成されている。この展示窓２２は、透明なアクリル板等から形成される透明パネル５が嵌め込まれて、水密に塞がれている。また、商品展示部２１の上端および左端には、商品収納庫３内の商品を照明する上部蛍光灯３８、および側部蛍光灯３９がその内側に配置されている。
また、このように構成される主扉２において、商品展示部２１は、接客部２３に比べてその前面が後方に窪ませて形成され、透明パネル５が嵌め込まれた展示窓２２が、本体１内に配置される商品収納ラック６に近づくように構成されている。
また、この主扉２の後方に配備される断熱扉４は、複数枚構造の透明なガラス板等で構成されている。そして、断熱扉４の後方に、商品搬出装置８を介して配置される商品収納ラック６には、上述のように収納される商品がその前方から視認可能に収納されている。
【００１３】
このような構成により、この自動販売機は、商品収納ラック６に収納される商品や、販売時に商品が搬出される様子などが外部から視認可能に構成されている。
このように構成される本発明の自動販売機において、顧客が商品を購入する場合は、先ず、商品展示部２１の透明パネル５が嵌め込まれた展示窓２２から商品収納ラック６に収納された商品を見て購入したい商品を選び、その商品の販売価格に応じた現金（硬貨、紙幣）を接客部２３の硬貨投入口２９、紙幣投入口２８に投入し、その商品に対応する商品番号を商品番号ボタン２６により入力し、入力された商品番号が正しいか確認し、商品番号が正しければ操作決定ボタン２７を押下する。そうすると、その商品番号に対応する商品収納ラック６に収納される商品が、図示しない制御手段によって商品収納ラック６の前端から１個づつ搬出され、この商品収納ラック６の前方に移動した商品搬出装置８のバケット９に受け渡され、さらに主扉２に設けられた商品取出部７に搬出されて顧客に販売される。
【００１４】
ここで、商品展示部２１は、接客部２３に比べてその前面全体が後方に窪ませて形成され、展示窓２２に嵌め込まれた透明パネル５が本体１内に配置される商品収納ラック６に近づくように構成されるから、商品を購入しようとする顧客は、商品収納ラック６に収納される商品を間近で鮮明に見ることができる。また、この場合、上部蛍光灯３８、および側部蛍光灯３９は、商品を近くで照らして明るくし、見栄えよく展示することができる。すなわち、このようにして商品収納ラック６に収納される商品の見栄えを向上させて展示することができるから、実際に販売する商品を顧客に見せることで興趣を増すことが目的であるシースルー形式の自動販売機の特徴を十分に発揮することができる。
また、接客部２３の接客パネル２４の背部には、従来と同様の比較的奥行きが厚い紙幣処理装置３５や硬貨処理装置３６が配置されるから、これらの装置を専用に開発する必要がなく、開発コストを削減することができる。また、これらの装置を従来と共用することで、サービス部品の種類を増やさないから、サービスコストを抑制することができる。
【００１５】
また、本発明の自動販売機において、接客部２３の接客パネル２４は、正面から見た外観が略Ｄ字形状に形成されている。また、商品展示部２１の展示窓２２もその枠形状が同様に略Ｄ字形状に形成されている。そして、この主扉２は、接客パネル２４のＤ字形状と展示窓２２のＤ字形状が、正面から見て、同方向に向かってかつ位置をずらして重なるように配置されている。このように主扉２を構成することにより、実際の主扉２の形状や大きさを上回って、顧客に対して立体感と大きさを感じさせることができる。これにより、実際に販売される商品の見栄えをさらに向上させて展示することができる。
なお、本発明の実施形態においては、主扉２の向かって右側に接客部２３、左側に商品展示部２１を配置し、接客部２３の接客パネル２４および商品展示部２１の展示窓２２は、共にそのＤ字形状を左方に向けて凸となるように構成したが、これに限らず、接客部を主扉の左側に、商品展示部を右側に配置しても当然良い。また、接客パネル２４および展示窓２２のＤ字形状は左右何れの方向に向けてと凸としても良い。すなわち、本発明は本実施の形態の示す構成に限定されず本発明の趣旨の包含する範囲で応用変更が可能である。
【図面の簡単な説明】
【００１６】
【図１】本発明の実施形態に関る自動販売機を示す正面図である。
【図２】本発明の実施形態に関る自動販売機を示す側面断面図である。
【図３】本発明の実施形態に関る自動販売機を示す平面部分断面図である。
【図４】本発明の実施形態に関る自動販売機を示す斜視図である。
【符号の説明】
【００１７】
１    本体
２    主扉（外扉）
３    商品収納庫
５    透明パネル（透明板）
６    商品収納ラック
７    商品取出部
８    商品搬出装置
２１    商品展示部
２２    展示窓
２３    接客部
２４    接客パネル
２６    商品番号ボタン（商品選択ボタン）
２８    紙幣投入口（金銭投入口）
２９    硬貨投入口（金銭投入口）
【図１】
2005196565.tif 000003
【図２】
2005196565.tif 000004
【図３】
2005196565.tif 000005
【図４】
2005196565.tif 000006